(57)【要約】  【課題】光ディスクの再生時やベリファイ時にデータが読めずエラーとなった場合に、光ディスクに情報が記録されているか否かを判断する方法として、ＲＦ信号の信号レベルにより判断する等の判別技術がある。しかしながら、例えばＥＣＣブロックの途中までは正常に情報が記録され、その後、停電、サーボはずれ、レーザーの不具合等により未記録状態となった場合、ＥＣＣブロック中のどの箇所において記録未記録の判別を行なうかによって、判断結果が変わってしまう可能性がある。  【解決手段】本発明は、より正確に記録未記録の判断を行なうことが可能な光ディスク装置を提案する。本発明の光ディスク装置は、一つのＥＣＣブロック内で複数位置から信号を取得し、取得した信号に基づいてチェック中のＥＣＣブロックが記録済みであるか未記録であるかを判断する。【選択図】            図２
2006338743.tif 000002
【特許請求の範囲】
【請求項１】
光ディスクからの信号を取得する信号取得部と、
前記信号取得部にて取得した信号に基づいて、ＥＣＣブロックごとに情報が記録されているか判断する判断部と、
を有する光ディスク装置。
【請求項２】
前記信号取得部は、一のＥＣＣブロック内で複数位置から信号取得を行なう複数取得手段を有し、
前記判断部は、
前記複数取得手段にて取得された複数の信号をその信号属性に応じて二種類に分類する分類手段と、
前記分類手段にて分類された信号の多寡に応じて前記判断をする属性依存判断手段と、
を有する請求項１に記載の光ディスク装置。
【請求項３】
前記判断部は、
前記信号取得部にて取得した信号に基づいて、ＥＣＣブロックごとに情報が記録されているか判断するためのルールを保持するルール保持手段と、
前記ルール保持手段でのルールを管理するルール管理手段と、
を有する請求項２に記載の光ディスク装置。
【請求項４】
前記複数取得手段は、前記信号としてＲＦ信号を取得するＲＦ信号取得器を有し、
前記判断部は、前記ＲＦ信号取得器にて取得されたＲＦ信号に基づいて情報が記録されているか判断する請求項２又は３に記載の光ディスク装置。
【請求項５】
前記判断部の分類手段は、前記ＲＦ信号取得器にて取得されたＲＦ信号をその信号属性である振幅の大きさに応じて二種類に分類する請求項４に記載の光ディスク装置。
【請求項６】
前記複数取得手段は、前記信号としてＥＣＣブロックを配置している光ディスクの各セクタのセクタアドレス領域からのセクタアドレス領域信号を取得するセクタアドレス領域信号取得器を有し、
前記判断部は、前記セクタアドレス領域信号取得器にて取得されたセクタアドレス領域信号に基づいて前記判断を行なう請求項２又は３に記載の光ディスク装置。
【請求項７】
前記判断部の分類手段は、信号属性として、前記セクタアドレス領域信号取得器にて取得されたセクタアドレス領域信号を、セクタアドレスを示す信号と、それ以外の信号と、に分類し、
前記属性依存判断手段は、前記分類手段にてセクタアドレスを示す信号として分類された信号と、それ以外に分類された信号の多寡に応じて前記判断を行なう請求項６に記載の光ディスク装置。
【請求項８】
光ディスクからの信号を取得する信号取得ステップと、
前記信号取得ステップにて取得した信号に基づいて、ＥＣＣブロックごとに情報が記録されているか判断する判断ステップと、
を有する光ディスク記録未記録判断方法。
【請求項９】
前記信号取得ステップは、一のＥＣＣブロック内で複数位置から信号取得を行なう複数取得ステップを有し、
前記判断ステップは、
前記複数取得ステップにて取得された複数の信号をその信号属性に応じて二種類に分類する分類ステップと、
前記分類ステップにて分類された信号の多寡に応じて前記判断をする属性依存判断ステップと、
を有する請求項８に記載の光ディスク記録未記録判断方法。
【発明の詳細な説明】
【技術分野】
【０００１】
本発明は、光ディスクから取得する信号に基づいて、ＥＣＣブロックごとに情報が記録されているか判断する機能を有する光ディスク装置に関する。
【背景技術】
【０００２】
通常、ＤＶＤ−ＲやＤＶＤ−ＲＷ等の光ディスクは、１６のセクタから構成されるＥＣＣブロックごとに記録や再生を行なうが、再生を実行している途中でデータが記録されていない未記録の領域をリードしようとするとリードエラーになるため、リードのリトライを繰り返し時間がかかる。また、データを記録した後に記録したデータを再生して、再生データと記録したデータの内容を比較するベリファイを実行した際に、サーボやレーザーの異常によりデータが記録されなかった領域をベリファイするとエラーになるが、記録処理を行なう処理機構に異常があってデータが記録されなかったのか、記録は正常に行なわれたがベリファイ時にデータの再生処理を行なう処理機構に異常があってデータが正常に読めないのかが判断できない。そこで、特許文献１においては、取得したＲＦ信号の信号レベルがある一定の記録済レベルにあるかどうかを調べてデータの記録未記録を判断するための処理に関連する技術が開示されている。
【特許文献１】特開２００１−３４９４５号公報
【発明の開示】
【発明が解決しようとする課題】
【０００３】
しかしながら、このような従来の記録未記録の判別技術においては、例えばＥＣＣブロックの途中までは正常に情報が記録され、その後、停電、サーボはずれ、レーザーの不具合等により未記録状態となった場合、ＥＣＣブロック中のどの箇所において記録未記録の判別を行なうかによって、判断結果が変わってしまう可能性がある。
【課題を解決するための手段】
【０００４】
本発明は、この課題を解決するために、より正確に記録未記録の判断を行なうことが可能な光ディスク装置を提案する。本発明の光ディスク装置は、一つのＥＣＣブロック内で複数位置から信号を取得し、取得した信号に基づいてチェック中のＥＣＣブロックが記録済みであるか未記録であるかを判断する。図１に、本発明に係る光ディスク装置における記録未記録判断方法を模式的に例示する。ここでは一例として、一つのＥＣＣブロック中においてＡ点、Ｂ点、Ｃ点、Ｄ点、Ｅ点において信号を取得し記録未記録を判断する場合を示す。また、ＥＣＣブロック中の斜線部は情報が記録されていることを意味する。（ａ）は、一つのＥＣＣブロックにおいて記録処理は正常に行なわれた場合を示すが、再生処理機構に異常がある場合には、例えば、Ｂ点以外の箇所からは記録した情報が読めるが、Ｂ点では情報が読めないような状況が発生する。このような状況においては、Ｂ点においては情報が記録されていないと判断されてしまうが、他の箇所においては情報が記録されていることから、このＥＣＣブロックは記録済みであり、再生処理機構に異常があることが推測される。また、（ｂ）は、一つのＥＣＣブロックにおいて記録処理が正常に行なわれず、ＥＣＣブロックの途中まで情報が記録され、その後、情報が記録されなかった場合を示す。このような場合、再生処理機構が正常であれば、Ａ点、Ｂ点においては記録した情報を読むことができ、Ｃ点、Ｄ点、Ｅ点においては情報を読むことができない。また、再生処理機構に異常があっても、Ｃ点、Ｄ点、Ｅ点においては情報が読めないため、このような状況においては、このＥＣＣブロックは未記録であり、少なくとも記録処理機構に異常があることが推測される。
【発明の効果】
【０００５】
以上のように、本発明に係る光ディスク装置においては、再生時やベリファイ時などに再生エラーが発生した場合に、エラーとなったＥＣＣブロック内の複数位置から信号を取得し、取得した信号に基づいてＥＣＣブロックに情報が記録されているか判断することが可能である。光ディスク装置の再生時やベリファイ時にこのような記録未記録判断処理を行なうことにより、記録未記録の誤判別を解消し、リトライによる時間の無駄を軽減する等の効果が期待でき、再生やベリファイの信頼性と性能を向上させることができる。
【発明を実施するための最良の形態】
【０００６】
本発明を実施するための最良の形態について図面を用いて詳細に説明する。なお、本発明はこれら実施の形態に何ら限定されるものではなく、その要旨を逸脱しない範囲において、種々なる態様で実施しうる。なお、以下の実施形態と請求項の関係は次の通りである。実施形態１は、主に請求項１、２、８、９などについて説明する。実施形態２は、主に請求項３などについて説明する。実施形態３は、主に請求項４、５などについて説明する。実施形態４は、主に請求項６、７などについて説明する。
（実施形態１）
【０００７】
（実施形態１：概要）本実施形態は、光ディスクからの信号を取得し、取得した信号に基づいて、ＥＣＣブロックごとに情報が記録されているか判断する機能を有する光ディスク装置に関する。また、一のＥＣＣブロック内で複数位置から信号取得を行ない、取得された複数の信号をその信号属性に応じて二種類に分類し、分類された信号の多寡に応じて、ＥＣＣブロックごとに情報が記録されているか判断する機能を有する。
【０００８】
図２は、本実施形態に係る光ディスク装置の構成の概念図を例示する。（ａ）は信号処理機構（０２４０）において光ディテクタによって取り込まれた光がアナログ信号に変換される場合であり、（ｂ）は信号処理機構（０２４０）において光ディテクタによって取り込まれた光がデジタル信号に変換される場合である。光ピックアップ（０２１０）からアクチュエータ（０２２０）を通して出力されたレーザー光は、光ディスク（０２３０）で反射され、光ピックアップ（０２１０）に戻り、光ピックアップ内の光ディテクタによって取り込まれる。光ディテクタによって取り込まれた光は、信号処理機構（０２４０）でアナログ信号又はデジタル信号に変換され、アナログ信号に変換された場合には、さらにピークホールド／ボトムホールド処理機構（０２５０）において信号のピーク値及びボトム値が検出される。ピークホールド／ボトムホールド処理機構（０２５０）からの信号、又は信号処理機構（０２４０）からの信号により、記録未記録判断処理機構（０２６０）においてＥＣＣブロックごとに情報が記録されているか判断する。即ち、本実施形態に係る光ディスク装置の特徴点は、記録未記録判断処理機構（０２６０）である。また、図１８は一般的なコンピュータの構成を例示する図でありコンピュータが主にＣＰＵ（１８１０）、入出力インタフェース（Ｉ／Ｏ）（１８２０）、ハードディスク（ＨＤＤ）（１８３０）、ＲＡＭ（１８４０）、ＲＯＭ（１８５０）等から構成されることを示しているが、記録未記録判断処理機構（０２６０）は図１８と同様の構成にて実現される。
【０００９】
（実施形態１：構成）本実施形態に係る光ディスク装置の機能ブロックを図３、図４に例示する。図３に示す光ディスク装置（０３００）は、「信号取得部」（０３１０）と、「判断部」（０３２０）とを有する。また、図４に示すように、「信号取得部」（０４１０）と、「判断部」（０４２０）とを有し、前記信号取得部（０４１０）は、「複数取得手段」（０４１１）を有し、前記判断部（０４２０）は、「分類手段」（０４２１）と、「属性依存判断手段」（０４２２）とを有していてもよい。
【００１０】
「信号取得部」（０３１０、０４１０）は、光ディスクからの信号を取得する機能を有する。信号取得部は、主に図２において説明の光ピックアップ（０２１０）と信号処理機構（０２４０）が該当する。「光ディスクからの信号」とは、光ピックアップからアクチュエータを通して出力されたレーザー光が、光ディスクで反射されることにより取得可能な信号である。反射された光を信号処理することで、光ディスク上に記録されている情報を示す信号が取得される。信号取得部の具体的な処理としては、光ピックアップ内の光ディテクタによってレーザー光が検出され、検出信号が信号処理機構において信号処理、という処理となる。また、さらにアナログ信号はデジタル化してＲＡＭ、ＲＯＭ、ＨＤＤなどの記憶媒体上のメモリ領域に書込んで保持してもよい。
【００１１】
「複数取得手段」（０４１１）は、一のＥＣＣブロック内で複数位置から信号取得を行なう機能を有する。即ち、複数取得手段は、図１において説明のようにＥＣＣブロック内の複数の位置において信号を取得する。「複数」とは、二以上であることを意味する。複数取得手段の具体的な処理としては、前記信号取得部（０３１０、０４１０）の処理と同様である。ただし、一のＥＣＣブロック内で複数位置から信号取得を行なうことを特徴とする。
【００１２】
「判断部」（０３２０、０４２０）は、前記信号取得部（０３１０、０４１０）にて取得した信号に基づいて、ＥＣＣブロックごとに情報が記録されているか判断する機能を有する。具体的な判断方法としては、例えば、信号の振幅の大きさが一定レベル以上あるか否か、アドレス領域の信号がセクタアドレスを示す信号であるか否か、等の基準により信号を二種類に分類し、いずれの分類に属する信号が優勢であるかにより情報が記録されているか否かを判断する等の方法が考えられる。また、判断する際の基準は、変更できるようになっていてもよい。判断部は、図２において説明の記録未記録判断処理機構（０２６０）が該当する。図５は、判断部の具体例を示す。（１）信号処理機構において信号処理された信号を取得、又は信号がデジタル化されてＲＡＭ、ＲＯＭ、ＨＤＤなどの記憶媒体上のメモリ領域に書込まれている場合には、記憶媒体上のメモリ領域から読出す。（２）取得又は読出した信号に基づいて、ＥＣＣブロックごとに情報が記録されているかの判断処理を実行する。この判断処理は、図１８の構成において、主にＣＰＵ（１８１０）が信号をＲＡＭ（１８４０）にロードして処理を実行することで実現される。（３）判断処理における判断結果をＲＡＭ、ＲＯＭ、ＨＤＤなどの記憶媒体上のメモリ領域に書込み、という処理となる。
【００１３】
また、判断部（０３２０、０４２０）は「分類手段」（０４２１）と「属性依存判断手段」（０４２２）を有していてもよい。
【００１４】
「分類手段」（０４２１）は、前記複数取得手段（０４１１）にて取得された複数の信号をその信号属性に応じて二種類に分類する機能を有する。「信号属性」とは、信号に関する種々の情報を意味し、例えば、信号の振幅の大きさ、アドレス領域の信号が示す情報等が該当する。「その信号属性に応じて二種類に分類する」とは、例えば、信号属性が信号の振幅の大きさであれば振幅の大きさが一定のレベル以上である信号とレベル未満である信号とに分類する、又は信号属性がアドレス領域の信号であればアドレス領域の信号がセクタアドレスを示す信号か否かで分類する、等が該当する。具体的には、図１８におけるＨＤＤ（１８３０）等に信号属性（例えば、アドレス領域信号が示す情報、等）と、信号属性に応じて二種類に分類する際の判断基準（例えば、アドレス形式のデータであること、等）、信号属性に応じて各信号に割り当てるべき分類、等がデータベース等により保持されている。一方、複数取得手段にて取得された記録媒体（光ディスク）からの信号も所定のメモリ領域に保持される。そして、分類手段は、前記データベース等に対して記録媒体から取得した信号の信号属性の値を照会し、信号に割り当てられるべき分類を返信として受け付ける。さらに具体的には、例えば、分類手段は分類を実行するためのプログラムであり、複数取得手段にて記録媒体からの信号が取得されたことをトリガーとして取得信号の信号属性の値を予め定められたメモリ領域に格納する処理をＣＰＵに命令する。ＣＰＵは命令に従って取得された記録媒体からの信号の属性の値を所定のメモリ領域に格納する。さらにプログラムは、所定のメモリ領域に格納された値と、前記データベースとして所定の記憶領域に記憶されている値（判断基準を示す情報）との比較処理を実行するための命令をＣＰＵに対して行なう。ＣＰＵは、この命令に従って両者の比較を行ない、比較の結果を出力する。分類を実行するためのプログラムは、比較の結果に基づいて両者が所定の関係にある場合には前記データベースから分類を示す情報を取得せよとの命令がＣＰＵに対して行なわれるように構成されており、所定の関係、例えば両者が一致するとの関係にある場合には、前記データベースのテーブルから分類を示す情報を取り出して、定められたメモリ領域に書込みを行なう。つまり、この時点で、取得された信号に与えられる属性の分類が出力される結果となる。
【００１５】
「属性依存判断手段」（０４２２）は、前記分類手段（０４２１）にて各属性にて分類された信号の多寡に応じて前記判断をする機能を有する。「信号の多寡に応じて」とは、分類された信号の数や割合等によって、という意味である。「前記判断」とは、ＥＣＣブロックごとに情報が記録されているか判断することを指す。また、判断する際の基準は、変更できるようになっていてもよい。図６は、分類手段と属性依存判断手段の具体例を示す。（１）信号処理機構において信号処理された信号を取得、又は信号がデジタル化されてＲＡＭ、ＲＯＭ、ＨＤＤなどの記憶媒体上のメモリ領域に書込まれている場合には、記憶媒体上のメモリ領域から読出す。（２）取得又は読出した信号に基づいて、ＥＣＣブロックごとに情報が記録されているかの判断処理を実行するが、具体的には、取得した複数の信号をその信号属性に応じて二種類に分類する分類処理を行ない、分類処理にて分類された信号の多寡に応じて判断処理を実行する。この判断処理は、例えば、二種類に分類された信号の数をそれぞれカウントするためのカウンターがあり、各カウンターの値が所定のメモリ領域に保持されており、メモリ領域に書込まれている分類を示す情報を読出すごとに所定のメモリ領域に格納されている各カウンターの値を１増加させていくことによって各分類に分類された信号の数を数えて比較し、どちらに分類された信号の数が多いかを決定する。（３）判断処理における判断結果をＲＡＭ、ＲＯＭ、ＨＤＤなどの記憶媒体上のメモリ領域に書込み、という処理となる。また、（１）と（２）の処理は一つの信号を取得するごとに分類処理を行なうことを、すべての信号を取得し終わるまで繰り返すようになっていてもよい。
【００１６】
（実施形態１：処理の流れ）図７は、本実施形態に係る光ディスク装置における処理の流れを示すフロー図を例示する。（ａ）は、複数の信号の取得をすべて行なってから分類処理を実行する場合であり、（ｂ）は、一つの信号を取得するごとに取得した信号を分類処理することを、すべての信号を取得し終わるまで繰り返す場合である。まず、（ａ）について詳述する。最初に、信号を取得する。この処理は信号取得部又は複数取得手段によって実行される（信号取得ステップ  Ｓ０７１１）。次に、信号の取得が終了したか否かの判断を行なう。ここでの判断が信号の取得が終了したとの判断であった場合には、後述の信号分類ステップ（Ｓ０７１３）に移行する。ここでの判断が信号の取得が終了していないとの判断であった場合には、前記信号取得ステップ（Ｓ０７１１）を繰り返す（信号取得終了判断ステップ  Ｓ０７１２）。前記信号取得終了判断ステップ（Ｓ０７１２）における判断が信号の取得が終了したとの判断であった場合には、前記信号取得ステップ（Ｓ０７１１）にて取得した複数の信号をその信号属性に応じて二種類に分類する。この処理は判断部又は分類手段によって実行される（信号分類ステップ  Ｓ０７１３）。最後に、前記信号分類ステップ（Ｓ０７１３）にて分類された信号の多寡に応じて、ＥＣＣブロックごとに情報が記録されているか判断する。この処理は判断部又は属性依存判断手段によって実行される（記録未記録判断ステップ  Ｓ０７１４）。次に、（ｂ）について詳述する。最初に、信号を取得する。この処理は信号取得部又は複数取得手段によって実行される（信号取得ステップ  Ｓ０７２１）。次に、前記信号取得ステップ（Ｓ０７２１）にて取得した複数の信号をその信号属性に応じて二種類に分類する。この処理は判断部又は分類手段によって実行される（信号分類ステップ  Ｓ０７２２）。次に、信号の分類が終了したか否かの判断を行なう。ここでの判断が信号の分類が終了したとの判断であった場合には、後述の記録未記録判断ステップ（Ｓ０７２４）に移行する。ここでの判断が信号の分類が終了していないとの判断であった場合には、前記信号取得ステップ（Ｓ０７２１）と前記分類ステップ（Ｓ０７２２）とを繰り返す（信号分類終了判断ステップ  Ｓ０７２３）。前記信号分類終了判断ステップ（Ｓ０７２３）における判断が信号の分類が終了したとの判断であった場合には、前記信号分類ステップ（Ｓ０７２２）にて分類された信号の多寡に応じて、ＥＣＣブロックごとに情報が記録されているか判断する。この処理は判断部又は属性依存判断手段によって実行される（記録未記録判断ステップ  Ｓ０７２４）。
【００１７】
（実施形態１：効果）本実施形態に係る光ディスク装置は、光ディスクからの信号を取得し、取得した信号に基づいて、ＥＣＣブロックごとに情報が記録されているか判断する機能を有する。また、一のＥＣＣブロック内で複数位置から信号取得を行ない、取得された複数の信号をその信号属性に応じて二種類に分類し、分類された信号の多寡に応じて、ＥＣＣブロックごとに情報が記録されているか判断する機能を有する。これにより、再生時やベリファイ時などに再生エラーが発生した場合に、エラーとなったＥＣＣブロック内の複数位置から信号を取得し、取得した信号に基づいてＥＣＣブロックに情報が記録されているか判断することが可能である。光ディスク装置の再生時やベリファイ時にこのような記録未記録判断処理を行なうことにより、記録未記録の誤判別を解消し、リトライによる時間の無駄を軽減する等の効果が期待でき、再生やベリファイの信頼性と性能を向上させることができる。
（実施形態２）
【００１８】
（実施形態２：概要）本実施形態は、実施形態１に係る光ディスク装置の機能に加え、前記判断部は、前記信号取得部にて取得した信号に基づいて、ＥＣＣブロックごとに情報が記録されているか判断するためのルールを保持し、保持するルールを管理する機能を有する光ディスク装置に関する。
【００１９】
（実施形態２：構成）本実施形態に係る光ディスク装置の機能ブロックを図８に例示する。光ディスク装置（０８００）の構成は、実施形態１に係る光ディスク装置の構成に「ルール保持手段」（０８２３）と「ルール管理手段」（０８２４）を加えた構成となっている。光ディスク装置（０８００）は、「信号取得部」（０８１０）と、「判断部」（０８２０）とを有する。また、前記信号取得部（０８１０）は、「複数取得手段」（０８１１）を有する。また、前記判断部（０８２０）は、「分類手段」（０８２１）と、「属性依存判断手段」（０８２２）と、「ルール保持手段」（０８２３）と、「ルール管理手段」（０８２４）とを有する。
【００２０】
「ルール保持手段」（０８２３）は、前記信号取得部にて取得した信号に基づいて、ＥＣＣブロックごとに情報が記録されているか判断するためのルールを保持する機能を有する。「ルール」とは、具体的には、分類手段（０８２１）における分類方法や属性依存判断手段（０８２２）における判断基準等を意味する。即ち、分類手段（０８２１）や属性依存判断手段（０８２２）は、ルール保持手段に保持されているルールに準じて信号の分類を行ない、また、記録未記録の判断を実行する。分類手段（０８２１）における分類方法とは、例えば、信号属性が信号の振幅の大きさであれば振幅の大きさが一定のレベル以上である信号とレベル未満である信号とに分類する、又は信号属性がアドレス領域の信号であればアドレス領域の信号がセクタアドレスを示す信号か否かで分類する、等を示すものである。また、信号の振幅の大きさにより信号を分類する場合には、分類する際の閾値となるレベルなどもルールに含まれる。属性依存判断手段（０８２２）における判断基準とは、例えば、前記分類手段（０８２１）において二種類に分類された信号の多寡によりＥＣＣブロックの記録未記録を判断する際に、判断基準となる分類された信号の数や割合等を示す。ルールは単数でもよいし複数でもよい。複数ある場合には、ルールを適応する条件や優先順位が付けられていることが想定される。ルール保持手段は、ＲＡＭ、ＲＯＭ、ＨＤＤなどの記憶媒体により実現されるが、電源のＯＦＦ等によって光ディスク装置に対する電源供給が断たれてもルール情報を保持していると便利であるので、ＨＤＤ等の磁気記憶装置やフラッシュメモリ等の不揮発性メモリが好適であると思われる。図１７は、ルール保持手段の実装例を示す。図１７においては、ルール保持手段はルール保持ＤＢというデータベースにより複数のルールを保持している場合を例示する。ルールの内容として、ルールを適用する優先順位、分類手段における分類基準、属性依存判断手段における属性依存判断基準が保持されている。優先順位１のルールにおいては、信号の振幅の大きさが０．８Ｖより大きいか小さいかによって信号を分類し、振幅の大きさが０．８Ｖよりも大きい信号が全体の８０パーセント以上であった場合にはＥＣＣブロックは記録済みであると判断することを示す。また、優先順位２のルールにおいては、１６のセクタのセクタアドレス領域信号がセクタアドレスを示す信号であるか否かにより信号を分類し、セクタアドレス領域信号がセクタアドレスを示した信号が１４セクタ以上であった場合にはＥＣＣブロックは記録済みであると判断することを示す。
【００２１】
「ルール管理手段」（０８２４）は、前記ルール保持手段（０８２３）でのルールを管理する機能を有する。「管理」とは、追加、変更、削除等を意味する。即ち、ルール管理手段は、前記ルール保持手段（０８２３）において保持されているルール情報に対して追加、変更、削除等の処理を実行する。追加、変更、削除は、ルールのすべてに対して実行されてもよいし、ルールの一部に対して実行されてもよい。「ルールの一部に対して実行する」とは、例えば、ルールの内容が、信号の振幅の大きさが一定のレベル以上である信号とレベル未満である信号とに分類する、という内容である場合には、閾値となるレベルのみを変更する場合等を指す。例えば、閾値を０．８Ｖから０．７Ｖに変更する場合等が該当する。ルールを管理する方法は、例えば、光ディスク装置の利用者がユーザインタフェースを介して実行するようになっていてもよいし、自動的に光ディスク装置が実行するようになっていてもよい。例えば、ルールの内容が、信号の振幅の大きさが一定のレベル以上である信号とレベル未満である信号とに分類する、という内容である場合には、光ディスク装置が自動的に適正なレベルを検出し、検出したレベルを分類する際の閾値とするようにルールの内容を変更するようになっていると便利である。また、光ディスク装置により利用される光ディスクの種類によって、ルールが変更されるようになっていてもよい。図９は、ルール管理手段の具体例を示す。図９は、光ディスク装置の利用者が管理する場合を例示する。（１）ＲＡＭ、ＲＯＭ、ＨＤＤなどの記憶媒体上のメモリ領域から、ルール情報を読出す。（２）光ディスク装置の利用者によってキーボード、マウス、タッチパネル等の入力インタフェースを介して入力信号が入力される。この入力処理は、図１８の構成におけるＩ／Ｏ（１８２０）により実現される。（３）入力された入力信号を変換してルールを管理するための管理情報を取得する。この信号変換処理は、図１８の構成において、主にＣＰＵ（１８１０）が入力信号をＲＡＭ（１８４０）にロードして変換処理することで実現される。（４）読出したルール情報を、取得した管理情報に基づいて追加、変更、削除等することによってルール管理処理が実行され、新ルール情報が生成される。この処理は、図１８の構成において、主にＣＰＵ（１８１０）がルール情報と管理情報をＲＡＭ（１８４０）にロードして処理を実行することで実現される。（５）生成された新ルール情報をＲＡＭ、ＲＯＭ、ＨＤＤなどの記憶媒体上のメモリ領域に書込み、という処理となる。
【００２２】
（実施形態２：処理の流れ）図１０は、本実施形態に係る光ディスク装置における特徴であるルールの管理に関する処理の流れを示すフロー図を例示する。最初に、ルールを定める。この処理はルール保持手段によって実行される（ルール保持ステップ  Ｓ１０１０）。次に、前記ルール保持ステップ（Ｓ１０１０）にて定めるルールを管理する。この処理はルール管理手段によって実行される（ルール管理ステップ  Ｓ１０２０）。
【００２３】
（実施形態２：効果）本実施形態に係る光ディスク装置は、実施形態１に係る光ディスク装置の機能に加えて、前記判断部は、前記信号取得部にて取得した信号に基づいて、ＥＣＣブロックごとに情報が記録されているか判断するためのルールを保持し、保持するルールを管理する機能を有する。これにより、ＥＣＣブロックごとに情報が記録されているか判断する際の判断基準等を定め、必要に応じて追加、変更、削除する等の処理を行なうことができる。
（実施形態３）
【００２４】
（実施形態３：概要）本実施形態は、実施形態１又は２に係る光ディスク装置の機能に加え、複数取得手段は、前記信号としてＲＦ信号を取得し、前記判断部は、ＲＦ信号に基づいて情報が記録されているか判断する機能を有する光ディスク装置に関する。また、判断部の分類手段は、取得されたＲＦ信号をその信号属性である振幅の大きさに応じて二種類に分類することを特徴とする。
【００２５】
（実施形態３：構成）本実施形態に係る光ディスク装置の機能ブロックを図１１に例示する。光ディスク装置（１１００）の構成は、実施形態１又は２に係る光ディスク装置の構成に「ＲＦ信号取得器」（１１１２）を加えた構成となっている。図１１においては、実施形態２に係る光ディスク装置の構成に前記ＲＦ信号取得器（１１１２）を加えた構成を例示している。光ディスク装置（１１００）は、「信号取得部」（１１１０）と、「判断部」（１１２０）とを有する。また、前記信号取得部（１１１０）は、「複数取得手段」（１１１１）を有する。また、前記複数取得手段（１１１１）は、「ＲＦ信号取得器」（１１１２）を有する。また、前記判断部（１１２０）は、「分類手段」（１１２１）と、「属性依存判断手段」（１１２２）と、「ルール保持手段」（１１２３）と、「ルール管理手段」（１１２４）とを有する。
【００２６】
「ＲＦ信号取得器」（１１１２）は、前記信号としてＲＦ信号を取得する機能を有する。「ＲＦ信号」とは、光ディスクから反射されたレーザー光の強度に略比例したアナログ信号を意味する。ＲＦ信号取得器は、主に図２において説明の光ピックアップ（０２１０）と信号処理機構（０２４０）が該当する。ＲＦ信号取得器の具体的な処理としては、光ピックアップ内の光ディテクタによってレーザー光が取り込まれ、取り込まれたレーザー光からレーザー光の強度に略比例してアナログ信号に変換される、という処理となる。また、後述の前記判断部の分類手段における分類基準となる振幅の大きさのみをデジタル化してＲＡＭ、ＲＯＭ、ＨＤＤなどの記憶媒体上のメモリ領域に書込んで保持するようになっていてもよい。
【００２７】
また、前記判断部（１１２０）は、前記ＲＦ信号取得器（１１１２）にて取得されたＲＦ信号に基づいてＥＣＣブロックごとに情報が記録されているか判断する機能を有し、判断部の分類手段（１１２１）は、前記ＲＦ信号取得器（１１１２）にて取得されたＲＦ信号をその信号属性である振幅の大きさに応じて二種類に分類する。図１９に示すように、一般的にはＥＣＣブロックが記録済みであった場合には、ＲＦ信号のピーク値とＲＦ信号のボトム値の差を示すＲＦ信号の振れ幅は記録済み領域（１９１０）では大きくなるため、ある一定のレベルを判定レベルとして、ＲＦ信号の振れ幅が判定レベル以上であるか否かにより記録済みであるか否かを推定することが可能である。例えば、図１２に例示するようなＲＦ信号の振れ幅であれば、判定レベルよりも振れ幅が大きい斜線の領域（１２１０）は記録済みであり、判定レベルよりも振れ幅が小さい領域（１２２０）は未記録であると推定される。これを利用して、例えば、Ａ点、Ｂ点、Ｃ点、Ｄ点、Ｅ点でのＲＦ信号の振れ幅を測定し、各点でのＲＦ信号の振れ幅が判定レベルよりも大きいか小さいかにより分類する。また、判定レベルは変更できるようになっていてもよい。また、属性依存判断手段（１１２２）は、このように分類手段（１１２１）によって分類された信号の多寡に応じてＥＣＣブロックごとに情報が記録されているか判断を行なうことができる。例えば、１ＥＣＣブロック内の１０箇所でＲＦ信号の振れ幅を測定し、そのうちＲＦ信号の振れ幅が判定レベルよりも大きい箇所が７箇所以上あれば、このＥＣＣブロックは記録済みであると判断する、等の判断を行なう。また、属性依存判断手段における判断基準は変更できるようになっていてもよい。
【００２８】
（実施形態３：処理の流れ）図１３は、本実施形態に係る光ディスク装置における処理の流れを示すフロー図を例示する。（ａ）は、複数のＲＦ信号の取得をすべて行なってから分類処理を実行する場合であり、（ｂ）は、一つのＲＦ信号を取得するごとに取得したＲＦ信号を分類処理することを、すべてのＲＦ信号を取得し終わるまで繰り返す場合である。まず、（ａ）について詳述する。最初に、ＲＦ信号を取得する。この処理はＲＦ信号取得器によって実行される（ＲＦ信号取得ステップ  Ｓ１３１１）。次に、ＲＦ信号の取得が終了したか否かの判断を行なう。ここでの判断がＲＦ信号の取得が終了したとの判断であった場合には、後述のＲＦ信号分類ステップ（Ｓ１３１３）に移行する。ここでの判断がＲＦ信号の取得が終了していないとの判断であった場合には、前記ＲＦ信号取得ステップ（Ｓ１３１１）を繰り返す（ＲＦ信号取得終了判断ステップ  Ｓ１３１２）。前記ＲＦ信号取得終了判断ステップ（Ｓ１３１２）における判断がＲＦ信号の取得が終了したとの判断であった場合には、前記ＲＦ信号取得ステップ（Ｓ１３１１）にて取得した複数のＲＦ信号をその信号属性に応じて二種類に分類する。この処理は分類手段によって実行される（ＲＦ信号分類ステップ  Ｓ１３１３）。最後に、前記ＲＦ信号分類ステップ（Ｓ１３１３）にて分類されたＲＦ信号の多寡に応じて、ＥＣＣブロックごとに情報が記録されているか判断する。この処理は属性依存判断手段によって実行される（ＲＦ信号記録未記録判断ステップ  Ｓ１３１４）。次に、（ｂ）について詳述する。最初に、ＲＦ信号を取得する。この処理はＲＦ信号取得器によって実行される（ＲＦ信号取得ステップ  Ｓ１３２１）。次に、前記ＲＦ信号取得ステップ（Ｓ１３２１）にて取得した複数のＲＦ信号をその信号属性に応じて二種類に分類する。この処理は分類手段によって実行される（ＲＦ信号分類ステップ  Ｓ１３２２）。次に、ＲＦ信号の分類が終了したか否かの判断を行なう。ここでの判断がＲＦ信号の分類が終了したとの判断であった場合には、後述のＲＦ信号記録未記録判断ステップ（Ｓ１３２４）に移行する。ここでの判断がＲＦ信号の分類が終了していないとの判断であった場合には、前記ＲＦ信号取得ステップ（Ｓ１３２１）と前記ＲＦ信号分類ステップ（Ｓ１３２２）とを繰り返す（ＲＦ信号分類終了判断ステップ  Ｓ１３２３）。前記ＲＦ信号分類終了判断ステップ（Ｓ１３２３）における判断がＲＦ信号の分類が終了したとの判断であった場合には、前記ＲＦ信号分類ステップ（Ｓ１３２２）にて分類されたＲＦ信号の多寡に応じて、ＥＣＣブロックごとに情報が記録されているか判断する。この処理は属性依存判断手段によって実行される（ＲＦ信号記録未記録判断ステップ  Ｓ１３２４）。
【００２９】
（実施形態３：効果）本実施形態に係る光ディスク装置は、実施形態１又は２に係る光ディスク装置の機能に加えて、複数取得手段は、前記信号としてＲＦ信号を取得し、前記判断部は、ＲＦ信号に基づいて情報が記録されているか判断する機能を有する。また、判断部の分類手段は、取得されたＲＦ信号をその信号属性である振幅の大きさに応じて二種類に分類することを特徴とする。これにより、光ディスクから反射されたレーザー光の強度に略比例したアナログ信号に基づいて、ＥＣＣブロックに情報が記録されているか判断することが可能である。
（実施形態４）
【００３０】
（実施形態４：概要）本実施形態は、実施形態１又は２に係る光ディスク装置の機能に加え、複数取得手段は、前記信号としてのＥＣＣブロックを配置している光ディスクの各セクタのセクタアドレス領域からのセクタアドレス領域信号を取得し、前記判断部は、セクタアドレス領域信号に基づいて前記判断を行なう機能を有する光ディスク装置に関する。また、判断部の分類手段は、信号属性として、取得されたセクタアドレス領域信号を、セクタアドレスを示す信号と、それ以外の信号と、に分類し、属性依存判断手段は、分類手段にてセクタアドレスを示す信号として分類された信号と、それ以外に分類された信号の多寡に応じて前記判断を行なうことを特徴とする。
【００３１】
（実施形態４：構成）本実施形態に係る光ディスク装置の機能ブロックを図１４に例示する。光ディスク装置（１４００）の構成は、実施形態１又は２に係る光ディスク装置の構成に「セクタアドレス領域信号取得器」（１４１３）を加えた構成となっている。図１４においては、実施形態２に係る光ディスク装置の構成に前記セクタアドレス領域信号取得器（１４１３）を加えた構成を例示している。光ディスク装置（１４００）は、「信号取得部」（１４１０）と、「判断部」（１４２０）とを有する。また、前記信号取得部（１４１０）は、「複数取得手段」（１４１１）を有する。また、前記複数取得手段（１４１１）は、「セクタアドレス領域信号取得器」（１４１３）を有する。また、前記判断部（１４２０）は、「分類手段」（１４２１）と、「属性依存判断手段」（１４２２）と、「ルール保持手段」（１４２３）と、「ルール管理手段」（１４２４）とを有する。
【００３２】
「セクタアドレス領域信号取得器」（１４１３）は、前記信号としてＥＣＣブロックを配置している光ディスクの各セクタのセクタアドレス領域からのセクタアドレス領域信号を取得する機能を有する。図１５に例示するように、一つのＥＣＣブロックは１６のセクタにより光ディスク上に配置されており、各セクタにはセクタアドレスが記録されるセクタアドレス領域（１５１０）とデータが記録されるデータ領域（１５２０）とにより構成される。セクタに情報が記録されている場合にはセクタアドレス領域（１５１０）にセクタアドレスが記録されているので、データ領域（１５１０）に情報が記録されているか判断するために、このセクタアドレス領域（１５１０）からのセクタアドレス領域信号を取得する。また、すべてのセクタのセクタアドレス領域から信号を取得してもよいし、一部のセクタのセクタアドレス領域のみから信号を取得するようになっていてもよい。セクタアドレス領域信号取得器は、主に図２において説明の光ピックアップ（０２１０）と信号処理機構（０２４０）が該当する。セクタアドレス領域信号取得器の具体的な処理としては、光ピックアップ内の光ディテクタによってレーザー光が取り込まれ、取り込まれたレーザー光は、信号処理機構において信号処理し信号をデジタル化してＲＡＭ、ＲＯＭ、ＨＤＤなどの記憶媒体上のメモリ領域に書込んで保持する、という処理となる。
【００３３】
また、前記判断部（１４２０）は、前記セクタアドレス領域信号取得器（１４１３）にて取得されたセクタアドレス領域信号に基づいてＥＣＣブロックごとに情報が記録されているか判断する機能を有する。判断部の分類手段（１４２１）は、信号属性として、前記セクタアドレス領域信号取得器（１４１３）にて取得されたセクタアドレス領域信号を、セクタアドレスを示す信号と、それ以外の信号と、に分類し、前記属性依存判断手段（１４２２）は、前記分類手段（１４２１）にてセクタアドレスを示す信号として分類された信号と、それ以外の信号の多寡に応じてＥＣＣブロックごとに情報が記録されているか判断する機能を有する。「セクタアドレスを示す信号」とは、セクタアドレスとして読むことができる信号であるという意味である。セクタアドレスを記録中に記録処理機構の異常等によってセクタアドレスの記録を失敗してしまう場合も考えられ、そのような場合にはセクタアドレス領域から何らかの信号は取得できる可能性はあるが、取得した信号はセクタアドレスとしては認識できない信号となっていることが想定される。「それ以外の信号」とは、このようにセクタアドレスとしては認識できない信号や、データ領域にも情報が記録されていないためにセクタアドレス領域にもセクタアドレスが記録されていないことを示す信号等を意味する。また、前記属性依存判断手段（１４２２）は、前記分類手段（１４２１）にて分類された信号の多寡に応じてＥＣＣブロックに情報が記録されているか判断するが、例えば、セクタアドレスを示す信号が１５以上であればＥＣＣブロックに情報が記録されていると判断する、等となっていればよい。また、属性依存判断手段における判断基準は変更できるようになっていてもよい。
【００３４】
（実施形態４：処理の流れ）図１６は、本実施形態に係る光ディスク装置における処理の流れを示すフロー図を例示する。（ａ）は、複数のセクタアドレス領域信号の取得をすべて行なってから分類処理を実行する場合であり、（ｂ）は、一つのセクタアドレス領域信号を取得するごとに取得したセクタアドレス領域信号を分類処理することを、すべてのセクタアドレス領域信号を取得し終わるまで繰り返す場合である。まず、（ａ）について詳述する。最初に、セクタアドレス領域信号を取得する。この処理はセクタアドレス領域信号取得器によって実行される（セクタアドレス領域信号取得ステップ  Ｓ１６１１）。次に、セクタアドレス領域信号の取得が終了したか否かの判断を行なう。ここでの判断がセクタアドレス領域信号の取得が終了したとの判断であった場合には、後述のセクタアドレス領域信号分類ステップ（Ｓ１６１３）に移行する。ここでの判断がセクタアドレス領域信号の取得が終了していないとの判断であった場合には、前記セクタアドレス領域信号取得ステップ（Ｓ１６１１）を繰り返す（セクタアドレス領域信号取得終了判断ステップ  Ｓ１６１２）。前記セクタアドレス領域信号取得終了判断ステップ（Ｓ１６１２）における判断がセクタアドレス領域信号の取得が終了したとの判断であった場合には、前記セクタアドレス領域信号取得ステップ（Ｓ１６１１）にて取得した複数のセクタアドレス領域信号をその信号属性に応じて二種類に分類する。この処理は分類手段によって実行される（セクタアドレス領域信号分類ステップ  Ｓ１６１３）。最後に、前記セクタアドレス領域信号分類ステップ（Ｓ１６１３）にて分類されたセクタアドレス領域信号の多寡に応じて、ＥＣＣブロックごとに情報が記録されているか判断する。この処理は属性依存判断手段によって実行される（セクタアドレス領域信号記録未記録判断ステップ  Ｓ１６１４）。次に、（ｂ）について詳述する。最初に、セクタアドレス領域信号を取得する。この処理はセクタアドレス領域信号取得器によって実行される（セクタアドレス領域信号取得ステップ  Ｓ１６２１）。次に、前記セクタアドレス領域信号取得ステップ（Ｓ１６２１）にて取得した複数のセクタアドレス領域信号をその信号属性に応じて二種類に分類する。この処理は分類手段によって実行される（セクタアドレス領域信号分類ステップ  Ｓ１６２２）。次に、セクタアドレス領域信号の分類が終了したか否かの判断を行なう。ここでの判断がセクタアドレス領域信号の分類が終了したとの判断であった場合には、後述のセクタアドレス領域信号記録未記録判断ステップ（Ｓ１６２４）に移行する。ここでの判断がセクタアドレス領域信号の分類が終了していないとの判断であった場合には、前記セクタアドレス領域信号取得ステップ（Ｓ１６２１）と前記セクタアドレス領域信号分類ステップ（Ｓ１６２２）とを繰り返す（セクタアドレス領域信号分類終了判断ステップ  Ｓ１６２３）。前記セクタアドレス領域信号分類終了判断ステップ（Ｓ１６２３）における判断がセクタアドレス領域信号の分類が終了したとの判断であった場合には、前記セクタアドレス領域信号分類ステップ（Ｓ１６２２）にて分類されたセクタアドレス領域信号の多寡に応じて、Ｅ���Ｃブロックごとに情報が記録されているか判断する。この処理は属性依存判断手段によって実行される（セクタアドレス領域信号記録未記録判断ステップ  Ｓ１６２４）。
【００３５】
（実施形態４：効果）本実施形態に係る光ディスク装置は、実施形態１又は２に係る光ディスク装置の機能に加えて、複数取得手段は、前記信号としてのＥＣＣブロックを配置している光ディスクの各セクタのセクタアドレス領域からのセクタアドレス領域信号を取得し、前記判断部は、セクタアドレス領域信号に基づいて前記判断を行なう機能を有する。また、判断部の分類手段は、信号属性として、取得されたセクタアドレス領域信号を、セクタアドレスを示す信号と、それ以外の信号と、に分類し、属性依存判断手段は、分類手段にてセクタアドレスを示す信号として分類された信号と、それ以外に分類された信号の多寡に応じて前記判断を行なうことを特徴とする。これにより、ＥＣＣブロックを配置している光ディスクの各セクタのセクタアドレス領域からのセクタアドレス領域信号に基づいて、ＥＣＣブロックに情報が記録されているか判断することが可能である。
【図面の簡単な説明】
【００３６】
【図１】本発明に係る光ディスク装置における記録未記録判断方法の模式図
【図２】実施形態１に係る光ディスク装置の構成の概念図
【図３】実施形態１に係る光ディスク装置の機能ブロック図
【図４】実施形態１に係る光ディスク装置の機能ブロック図
【図５】判断部の具体例
【図６】分類手段と属性依存判断手段の具体例
【図７】実施形態１に係る光ディスク装置の処理の流れを示すフロー図
【図８】実施形態２に係る光ディスク装置の機能ブロック図
【図９】ルール管理手段の具体例
【図１０】ルール管理に関する処理の流れを示すフロー図
【図１１】実施形態３に係る光ディスク装置の機能ブロック図
【図１２】ＲＦ信号について説明する図
【図１３】実施形態３に係る光ディスク装置の処理の流れを示すフロー図
【図１４】実施形態４に係る光ディスク装置の機能ブロック図
【図１５】セクタアドレス領域信号について説明する図
【図１６】実施形態４に係る光ディスク装置の処理の流れを示すフロー図
【図１７】ルール保持手段の実装例
【図１８】一般的なコンピュータの構成を例示する図
【図１９】ＲＦ信号の振れ幅について説明する図
【符号の説明】
【００３７】
０２１０    光ピックアップ
０２２０    アクチュエータ
０２３０    光ディスク
０２４０    信号処理機構
０２５０    ピークホールド／ボトムホールド処理機構
０２６０    記録未記録判断処理機構
【図１】
2006338743.tif 000003
【図２】
2006338743.tif 000004
【図３】
2006338743.tif 000005
【図４】
2006338743.tif 000006
【図５】
2006338743.tif 000007
【図６】
2006338743.tif 000008
【図７】
2006338743.tif 000009
【図８】
2006338743.tif 000010
【図９】
2006338743.tif 000011
【図１０】
2006338743.tif 000012
【図１１】
2006338743.tif 000013
【図１２】
2006338743.tif 000014
【図１３】
2006338743.tif 000015
【図１４】
2006338743.tif 000016
【図１５】
2006338743.tif 000017
【図１６】
2006338743.tif 000018
【図１７】
2006338743.tif 000019
【図１８】
2006338743.tif 000020
【図１９】
2006338743.tif 000021